(57)【特許請求の範囲】
【請求項１】
周囲を覆う外枠に、ミドル枠が片開き自在に取り付けられており、そのミドル枠の開放側の端縁に、前面と直交した状態を保って上下動する板状の鉤状部材が後方へ突出するように立設されているとともに、前記外枠に、板状の係合片が、前記鉤状部材と直交するように内向きに突設されており、前記鉤状部材を前記係合片に係合させることによって、ミドル枠を外枠に対して閉じた状態で保持可能な遊技機であって、
前記鉤状部材の後側の先端部が、内側へ折り曲げられているとともに、
前記鉤状部材の外面で、前記内側へ折り曲げられていない基端部に、板状の抜止部材が貼着されていることを特徴とする遊技機。
【請求項２】
前記ミドル枠の開放側の端縁であって、前記係合片の前記鉤状部材との係合側と反対側の端縁と隣接した部分に、外枠に対するミドル枠の上下方向の動きを規制するための規制部材が設けられていることを特徴とする請求項１に記載の遊技機。
【請求項３】
前記規制部材が、前記係合片と直交するように設けられた板状体であることを特徴とする請求項２に記載の遊技機。
【発明の詳細な説明】
【技術分野】
【０００１】
本発明は、パチンコ機、スロットマシーン等の遊技機に関するものである。
【背景技術】
【０００２】
通常のパチンコ機は、周囲が外枠で覆われており、その外枠の前方に、遊技盤や機構板等を設置したミドル枠が、片開き自在に取り付けられている。また、ミドル枠には、施錠機構が設けられており、通常は、ミドル枠が、外枠に対して閉じた状態でロックされており、ロックを解除した場合にのみ、ミドル枠を外枠に対して片開きできるようになっている。かかる施錠機構としては、ミドル枠の開放側の端縁に、前面と直交した状態を保って上下動する平板状の鉤状部材を設けるとともに、外枠に、板状の係合片を鉤状部材と直交するように内向きに突設し、鉤状部材を係合片に係合させることによって、ミドル枠を外枠に対して閉じた状態で保持するものが知られている（特許文献１）。
【先行技術文献】
【特許文献】
【０００３】
【特許文献１】特開２００１−１４９６１６号公報
【発明の概要】
【発明が解決しようとする課題】
【０００４】
しかしながら、上記従来のパチンコ機においては、ミドル枠と外枠との間にバール等をネジ込んで外枠を撓ませることにより鉤状部材と係合片との係合を無理矢理に解除してミドル枠を開放する不正行為（以下、「外枠湾曲不正開放行為」という）が行われてしまう虞れがある。加えて、上記従来のパチンコ機においては、ミドル枠の下端においてミドル枠と外枠との間にバール等をネジ込んでミドル枠を外枠に対して上方へ動かすことにより鉤状部材と係合片との係合を無理矢理に解除してミドル枠を開放する不正行為（以下、「ミドル枠持ち上げ不正開放行為」という）が行われてしまう虞れもある。
【０００５】
本発明の目的は、上記従来のパチンコ機が有する問題点を解消し、外枠湾曲不正開放行為やミドル枠持ち上げ不正開放行為を非常に効果的に防止することが可能な遊技機を提供することにある。
【課題を解決するための手段】
【０００６】
本発明の内、請求項１に記載された発明は、周囲を覆う外枠に、ミドル枠が片開き自在に取り付けられており、そのミドル枠の開放側の端縁に、前面と直交した状態を保って上下動する板状の鉤状部材が後方へ突出するように立設されているとともに、前記外枠に、板状の係合片が、前記鉤状部材と直交するように内向きに突設されており、前記鉤状部材を前記係合片に係合させることによって、ミドル枠を外枠に対して閉じた状態で保持可能な遊技機であって、前記鉤状部材の後側の先端部が、内側へ折り曲げられているとともに、前記鉤状部材の外面で、前記内側へ折り曲げられていない基端部に、板状の抜止部材が貼着されていることを特徴とするものである。
【０００７】
請求項２に記載された発明は、請求項１に記載された発明において、前記ミドル枠の開放側の端縁であって、前記係合片の前記鉤状部材との係合側と反対側の端縁と隣接した部分に、外枠に対するミドル枠の上下方向の動きを規制するための規制部材が設けられていることを特徴とするものである。
【０００８】
請求項３に記載された発明は、請求項２に記載された発明において、前記規制部材が、前記係合片と直交するように設けられた板状体であることを特徴とするものである。
【発明の効果】
【０００９】
請求項１に記載された遊技機は、鉤状部材の外面で、内側へ折り曲げられていない基端部に、板状の抜止部材が貼着されており、鉤状部材と係合片との係合代（鉤状部材と係合片とが噛み合っている部分の幅）が大きいので、ミドル枠と外枠との間にバール等をネジ込んで外枠を撓ませることにより鉤状部材と係合片との係合を無理矢理に解除してミドル枠を不正に開放する外枠湾曲不正開放行為を効率的に防止することができる。
また、鉤状部材の後側の先端部を、内側へ折り曲げているため、鉤状部材の強度を高めることができる。
【００１０】
請求項２に記載された遊技機は、規制部材が係合片と接触することによって、外枠に対するミドル枠の上下方向の動きが規制されるため、ミドル枠の下端においてミドル枠と外枠との間にバール等をネジ込んでミドル枠を外枠に対して上方へ動かすことにより鉤状部材と係合片との係合を無理矢理に解除してミドル枠を不正に開放するミドル枠持ち上げ不正開放行為を効率的に防止することができる。
【００１１】
請求項３に記載された遊技機は、係合片と直交するように設けられた板状の規制部材が、外枠に固着された係合片の動きを精度良く抑制することができるので、ミドル枠持ち上げ不正開放行為をきわめて効率的に防止することができる。
【図面の簡単な説明】
【００１２】
【図１】パチンコ機の正面を示す説明図である。
【図２】パチンコ機を示す斜視図（ミドル枠に対して前面枠を開放した状態）である（なお、図２においては、外枠の記載が省略されている）。
【図３】施錠機構の右側面を示す説明図である。
【図４】施錠機構の背面を示す説明図である。
【図５】施錠機構の平面を示す説明図である。
【図６】施錠機構を裏側から見た状態を示す斜視図である。
【図７】外枠を示す斜視図である。
【図８】パチンコ機の上側の裏面（施錠機構の設置側）を示す斜視図である。
【図９】パチンコ機の下側の裏面（施錠機構の設置側の後ろ正面）を示す説明図である。
【図１０】図１におけるＡ−Ａ線断面を示す説明図である。
【発明を実施するための形態】
【００１３】
以下、本発明の遊技機の一実施形態であるパチンコ機について、図面に基づいて詳細に説明する。
【００１４】
＜パチンコ機の構成＞
図１、図２は、本発明に係るパチンコ機を示したものであり、パチンコ機１は、木製で所定幅の扁平な筒状の外枠２によって、上下面および左右両側面が覆われており、その外枠２に対して、金属製のミドル枠１２が、左端縁を軸として片開き自在に取り付けられている。
【００１５】
ミドル枠１２には、各種の入賞装置を設置し多数の障害釘を植設した遊技盤３が取り付けられているとともに、遊技球払出装置等を設置した機構板１１が取り付けられている。また、ミドル枠１２の下側には、遊技球を貯留するための貯留皿８が設けられており、その貯留皿８の右側には、発射装置を操作するための発射ハンドル９が設けられている。さらに、ミドル枠１２の前方には、ガラス板７を嵌め込んだ前面枠４が設置されており、当該前面枠４の下側には、遊技球を発射装置へ供給するための供給皿６が設けられている。そして、ミドル枠１２の右端縁には、当該ミドル枠１２を外枠２に対して閉じた状態でロックするための施錠機構１３が設けられている。
【００１６】
図３〜６は、施錠装置１３を示したものであり、施錠機構１３は、フレーム２１、摺動杆２２、施錠装置２３、コイルバネ２４，２４等によって構成されている。フレーム２１は、金属板を折り曲げることによって形成されており、細長い帯状の支持板２５の左側方に、断面Ｌ字状の取付板２６が連設された状態になっている。
【００１７】
支持板２５の表面の下端際には、円筒状の施錠装置２３が固着されている。当該施錠装置２３の基端には、２つのアームを突出させたカム３３が、施錠装置２３の軸心に対して回転可能に取り付けられている。
【００１８】
一方、取付板２６の基端には、金属製で長尺状の摺動杆２２が、上下方向にスライド可能に設けられており、その摺動杆２２の上下の端縁際には、厚さ約２．０ｍｍの金属板を裁断することによって形成された鉤状部材２７ａ，２７ｂが、後方へ突出するように設けられている。それらの鉤状部材２７ａ，２７ｂは、先端が矢尻状に形成されており、Ｖ字状の係合突起２８が下向きに突出し、基端に切り欠き２９が形成された状態になっている。なお、鉤状部材２７ａ，２７ｂの先端は、強度を高めるため、内向きに湾曲した状態になっている。また、各鉤状部材２７ａ，２７ｂの係合突起２８の基端部分（先端の鋭角部分を除いた部分）の外面には、厚さ約３．０ｍｍの金属板（アルミニウム板）によって形成された抜止部材３０が貼着されている（鉤状部材２７ａ，２７ｂに穿設された挿通孔と抜止部材３０に穿設された挿通孔とを利用して複数のリベットによって固着されている）。当該抜止部材３０は、左右の端縁が鉛直に裁断されており、上下の端縁は、鉤状部材２７ａ，２７ｂと略同様な形状に裁断されている。加えて、抜止部材３０の外側の稜線（外郭線）は、Ｒ状に面取りされた状態になっている。
【００１９】
上記の如く鉤状部材２７ａ，２７ｂを設けた摺動杆２２は、コイルバネ２４，２４によって、常時、下方に付勢されており、それに伴って各鉤状部材２７ａ，２７ｂも下向きに付勢された状態になっている。さらに、摺動杆２２には複数の長孔３１，３１・・が穿設されており、それらの長孔３１，３１・・に、取付板２６に突設されたピン３２，３２・・を挿通させた状態になっている。そして、それらの長孔３１，３１・・とピン３２，３２・・とによって、スライド量が規制されている。加えて、摺動杆２２の下端際には、作用孔３４，３４が穿設されており、それらの作用孔３４，３４内に、施錠装置２３の基端に枢着されたカム３３の一対のアームが挿通した状態になっている。
【００２０】
また、取付板２６の基端の外面であって上側の鉤状部材２７ａの下方には、外枠２に対するミドル枠１２の上向きの動きを規制するための規制部材３５が設けられている。当該規制部材３５は、厚さ約３．０ｍｍの金属板（アルミニウム板）を略矩形に裁断することによって形成されており、内面が取付板２６の基端の外面に貼着されている（取付板２６に穿設された挿通孔と規制部材３５に穿設された挿通孔とを利用して複数のリベットによって固着されている）。加えて、規制部材３５の外側の稜線（外郭線）は、Ｒ状に面取りされた状態になっている。
【００２１】
一方、図１０は、外枠２を示したものであり、外枠２の右側（パチンコ機１の正面から見た場合の右側）に位置した金属製のフレーム５の内面の上下には、係合部材４１ａ，４１ｂが固着されている。各係合部材４１ａ，４１ｂは、金属（アルミニウム）によって一体的に形成されており、外枠２の内面に貼着させるための基板４２に対して、鉤状部材２７ａ，２７ｂと係合させるための係合片４３が直交するように設けられている。また、係合片４３の基端の部分は、リブ４４，４４によって補強されている。
【００２２】
上側の係合部材４１ａ、下側の係合部材４１ｂとも、基板４２の外面を外枠２の内面に貼着させる（基板４２に穿設されたネジ孔と外枠２に穿設されたネジ孔とを利用してネジによって螺着する）ことによって外枠２に固着されている。そして、２つの係合部材４１ａ，４１ｂとも、係合片４３を内向きに突出させ、係合片４３の板面を前面に対して平行に配置させた状態になっている。
【００２３】
＜パチンコ機の作動内容＞
図８、図９は、それぞれ、パチンコ機１の上側、下側の裏面（施錠機構１３の設置側）の様子を、係合部材４１ａ，４１ｂ以外の外枠２の記載を省略して示したものであり、図１０は、図１におけるＡ−Ａ線断面を示したものである。上記パチンコ機１においては、片開きしているミドル枠１２を外枠２に対して閉じるように押し込むと、各鉤状部材２７ａ，２７ｂの先端の傾斜部分が、それぞれ、外枠２に設けられた各係合部材４１ａ，４１ｂの係合片４３の上端に衝突し、摺動杆２２が、コイルバネ２４，２４の付勢力に抗して上昇する。そして、ミドル枠１２が完全に閉じられると、コイルバネ２４，２４の付勢力によって摺動杆２２が下降し、各鉤状部材２７ａ，２７ｂの切り欠き２９に、それぞれ、係合部材４１ａ，４１ｂの係合片４３が係合し、ミドル枠１２が、外枠２に対して閉じた状態でロックされる。
【００２４】
また、施錠装置２３の鍵穴に適合した鍵（図示せず）を挿入して所定位置まで回転させた場合には、カム３３が回転し、そのカム３３の回転に伴って、摺動杆２２がコイルバネ２４，２４の付勢力に抗して上昇するため、各鉤状部材２７ａ，２７ｂの切り欠き２９と各係合部材４１ａ，４１ｂの係合片４３との係合が解除され、ミドル枠１２を外枠２に対して片開きすることが可能となる。
【００２５】
そして、上記の如く、ミドル枠１２が、外枠２に対して閉じた状態でロックされると、各鉤状部材２７ａ，２７ｂは、自体の厚みと抜止部材３０の厚みを合わせた約６．０ｍｍの係合代（重なり代）で、各係合部材４１ａ，４１ｂの係合片４３と係合し合った状態となる。それゆえ、ミドル枠１２と外枠２との間にバール等をネジ込んで外枠２を撓ませることにより各鉤状部材２７ａ，２７ｂと各係合部材４１ａ，４１ｂの係合片４３との係合を無理矢理に解除しようとしても、上記係合代（重なり代）を上回るように外枠２を撓ませるのが困難であるため、各鉤状部材２７ａ，２７ｂと各係合部材４１ａ，４１ｂの係合片４３との係合状態が保持され、ミドル枠１２が外枠２に対して閉じた状態で保持される。
【００２６】
また、上記の如く、ミドル枠１２が、外枠２に対して閉じた状態でロックされると、外枠２に貼着された上側の係合部材４１ａの係合片４３の下端縁際に（約５．０ｍｍの距離を隔てた下方に）、規制部材３５が配置した状態となる。それゆえ、ミドル枠１２の下端においてミドル枠１２と外枠２との間にバール等をネジ込んでミドル枠１２を無理矢理に外枠２に対して上方へ動かそうとしても、規制部材３５が係合部材４１ａの係合片４３と接触することによって、外枠２に対するミドル枠１２の上向きの動きが規制されるため、各鉤状部材２７ａ，２７ｂと各係合部材４１ａ，４１ｂの係合片４３との係合状態が保持され、ミドル枠１２が外枠２に対して閉じた状態で保持される。
【００２７】
＜パチンコ機の効果＞
パチンコ機１は、上記の如く、各鉤状部材２７ａ，２７ｂの外面に抜止部材３０が貼着されているため、各鉤状部材２７ａ，２７ｂと各係合部材４１ａ，４１ｂの係合片４３との係合代（各鉤状部材２７ａ，２７ｂと各係合部材４１ａ，４１ｂの係合片４３とが噛み合っている部分の幅）が大きいので、ミドル枠１２と外枠２との間にバール等をネジ込んで外枠２を撓ませることにより各鉤状部材２７ａ，２７ｂと各係合部材４１ａ，４１ｂの係合片４３との係合を無理矢理に解除してミドル枠１２を不正に開放する外枠湾曲不正開放行為を効率的に防止することができる。
【００２８】
また、パチンコ機１は、ミドル枠１２の開放側の端縁であって、係合部材４１ａの係合片４３の鉤状部材２７ａとの係合側と反対側の端縁と隣接した部分に、外枠２に対するミドル枠１２の上向きの動きを規制するための規制部材３５が設けられているため、ミドル枠１２の下端においてミドル枠１２と外枠２との間にバール等をネジ込んでミドル枠１２を外枠２に対して上方へ動かすことにより各鉤状部材２７ａ，２７ｂと各係合部材４１ａ，４１ｂの係合片４３との係合を無理矢理に解除してミドル枠１２を不正に開放するミドル枠持ち上げ不正開放行為をも効率的に防止することができる。
【００２９】
さらに、パチンコ機１は、規制部材３５が、係合部材４１ａの係合片４３と直交するように設けられた板状体であるため、外枠２に固着された係合部材４１ａの係合片４３の上向きの動きを精度良く抑制することができるので、ミドル枠持ち上げ不正開放行為をきわめて効率的に防止することができる。
【００３０】
＜パチンコ機の変更例＞
なお、本発明の遊技機の構成は、上記した各実施例の態様に何ら限定されるものではなく、外枠、ミドル枠、前面枠、施錠機構、鉤状部材、抜止部材、規制部材、係合片等の材質、形状・構造等の構成を、本発明の趣旨を逸脱しない範囲で、必要に応じて適宜変更することができる。
【００３１】
たとえば、パチンコ機は、上記実施形態の如く、右側に施錠機構が設けられたものに限定されず、左側に施錠機構が設けられたものでも良い。また、施錠機構は、上記実施形態の如く、２つの鉤状部材が摺動杆の作動に伴って連動するものに限定されず、１つの鉤状部材のみからなるものでも良いし、３つ以上の鉤状部材が連動するものでも良い。
【００３２】
さらに、鉤状部材は、上記実施形態の如く、上下動して係合片と係合するものに限定されず、回動することによって係合片と係合するもの等に変更することも可能である。また、摺動杆を付勢する部材は、上記実施形態の如きコイルバネに限定されず、板バネ等の他の弾性部材を用いることができる。
【００３３】
一方、ミドル枠は、上記実施形態の如く、金属によって形成されたものに限定されず、合成樹脂等によって形成されたものでも良い。また、ミドル枠は、遊技盤や機構板と別個になったものに限定されず、遊技盤や機構板と一体となってものでも良いし、その他の部材が設置されたものでも良い。
【００３４】
加えて、本発明の遊技機は、パチンコ機ばかりでなく、スロットマシーン等の他の遊技機として応用することも可能である。
【産業上の利用可能性】
【００３５】
本発明の遊技機は、上記の如く優れた不正防止効果を奏するものであるので、各種のパチンコ機やスロットマシーン等として好適に用いることができる。
【符号の説明】
【００３６】
１・・パチンコ機
２・・外枠
２７ａ，２７ｂ・・鉤状部材
３０・・抜止部材
３５・・規制部材
４１ａ，４１ｂ・・係合部材
４３・・係合片
【図１】
0005504981.tif 000002
【図２】
0005504981.tif 000003
【図３】
0005504981.tif 000004
【図４】
0005504981.tif 000005
【図５】
0005504981.tif 000006
【図６】
0005504981.tif 000007
【図７】
0005504981.tif 000008
【図８】
0005504981.tif 000009
【図９】
0005504981.tif 000010
【図１０】
0005504981.tif 000011